(57)【特許請求の範囲】
【請求項１】
背部に複数のリング状の綴込部が取り付けられたバインダーと、前記綴込部に綴り込まれる複数の差込孔を端部に有し、この差込孔列方向に沿って複数設けられそれぞれに化粧料が収容される化粧料収容部を有する身部、及び、これら各化粧料収容部を覆うように設けられ該各化粧料収容部の周囲である該身部との密着状態を着脱可能に確保する密着部を有する蓋部でこれの端部に前記各化粧料収容部毎に該蓋部と該各化粧料収容部の周囲である該身部との密着状態を着脱可能に解除することを可能とするツマミを有するものからなる携帯用化粧容器とを備えた携帯用化粧品であって、
前記携帯用化粧容器は、前記蓋部が前記身部に対し折れ曲げ線を介して回転自在に接続されるようにシート状樹脂で該身部及び蓋部を一体成形し、かつ、この蓋部と前記各化粧料収容部の周囲である該身部との密着状態を前記密着部によって確保することによりシート状化粧容器を形成し、このシート状化粧容器における該各化粧料収容部のそれぞれの間において前記差込孔列方向と垂直方向に該各化粧料収容部毎の化粧容器として切り離すことを可能とするミシン目を設けてなるものであることを特徴とする携帯用化粧品。
【発明の詳細な説明】
【０００１】
【発明の属する技術分野】
本発明は、持ち運び便利な携帯用化粧容器に関し、特にホルダーで保持することが可能な携帯用化粧容器やバインダー式の手帳に綴ることが可能な携帯用化粧容器に関する。
【０００２】
【従来の技術】
従来、成分や色彩の異なる化粧料をパレット板に小分けして充填（あるいは接着）して、複数種の化粧料を携帯できるようにした携帯用化粧料セットがある。
【０００３】
この携帯用化粧料セットは、パレット板に複数の凹状の化粧料収容部を散在させ、この凹状収容部に化粧料を充填（あるいは接着）したものである。そして、通常、パレット板上には化粧料の散逸や劣化を防ぐために、全ての化粧料収容部を覆うフィルムが被せてある。
【０００４】
また、複数種の化粧料を収容しているパレット板を、複数枚重ねてケース内に収納した携帯用化粧料セットも知られている。
【０００５】
【発明が解決しようとする課題】
ところで、従来の携帯用化粧料セットは、パレット板にフィルムが被さっているだけなので、１種類の化粧料を使用する場合であっても、パレットからフィルムを全て剥がさなければならず、面倒であった。
【０００６】
また、従来の携帯用化粧料セットは、所望の化粧料だけを組み合わせて携帯したり、特定の化粧料だけを個々に携帯することはできなかった。
更に、従来の携帯用化粧料セットは、ハンドバック等に入れて持ち運ぶものであるが、出先でケースから複数枚重ねたパレット板を出し、その日の好みや服装に適したと思われる所望の化粧料を、複数枚重ねたパレット板から探し出すのが面倒であった。
【０００７】
以上から本発明は前記問題点に鑑み創案されたものであり、所望の化粧料の部位のみを使用できるように開けることができ、他の化粧料の散逸や劣化を防止できる携帯用化粧容器を提供することを技術的課題とする。
【０００８】
また、本発明は特定の化粧料だけを個々に携帯できるホルダーに保持した携帯用化粧容器を提供することを技術的課題とする。
更に、本発明は所望の化粧料だけを複数組み合わせて携帯でき、しかも、必要とする化粧料を探し出すことが容易なバインダーに綴じ込んだ携帯用化粧容器を提供することを技術的課題とする。
【０００９】
【課題を解決するための手段】
前記課題を達成するために、本発明は下記の手段を採用した。
まず、本発明の携帯用化粧容器は、シート状樹脂で身部とこの身部に接続する蓋部を一体成形した携帯用化粧容器であって、
前記身部は化粧料を収容する化粧料収容部と前記身部の端部に沿って複数明けられた差込孔とを有し、前記蓋部は前記身部の化粧料収容部に密着する密着部を有することを特徴とする。
【００１０】
この構成によれば、所望の化粧料を使用する場合、他の化粧料収納部の密着状態は解除せずに所望の化粧料収納部の密着状態のみを解除できるので、他の化粧料の散逸や劣化を防止できる。
【００１１】
また、この携帯用化粧容器において、前記身部は前記化粧料収納部の周囲を凸形の枠で囲う凸形枠を有し、前記蓋部は前記身部の凸形枠の外形に嵌着する凹部を有し、前記身部と蓋部の密着は、前記身部の凸形枠の外周側面を前記蓋部の凹部の内周側面にはめ込むことによって行う構成のものも例示できる。この例示によれば、密着部が嵌着されているから化粧料の散逸や劣化が確実に防止できる。
【００１２】
更に、この携帯用化粧容器において、前記蓋部はその端部に前記蓋部と前記化粧料収容部とを着脱させるためのツマミを有する構成のものも例示できる。この例示によれば、ツマミを用いて密着部の着脱操作が容易にできる。
【００１３】
次に、本発明のホルダーに保持した携帯用化粧容器は、差込孔を有する携帯用化粧容器と、ホルダー本体と、このホルダー本体に接続するとともに一体成形された上蓋部とを備え、
前記ホルダー本体は前記ホルダー本体上に立設した前記携帯用化粧容器の差込孔に挿通可能な円柱状のピンを有し、前記上蓋部は前記ピンの頂面を塞いで嵌合するピン孔を有し、前記ホルダー本体と前記上蓋部との嵌合は、前記ピンを前記ピン孔に挿嵌することによって行うことを特徴とする。
【００１４】
この構成によれば、特定の化粧料だけをホルダーに保持して携帯できる。
また、このホルダーに保持した携帯用化粧容器は、前記ホルダー本体に化粧用塗布具を収納する溝部を設けた構成のものも例示できる。この例示によれば、化粧料と化粧用塗布具をホルダーに保持して携帯でき、化粧料を使用する場合に便利である。
【００１５】
更に、このホルダーに保持した携帯用化粧容器は、前記ホルダー本体にストラップ懸吊用鈎部を設けた構成のものも例示できる。この例示によれば、懸吊用鈎部にストラップを通すことで、キーホルダー感覚で化粧容器を携帯することができる。
【００１６】
次に、本発明の携帯用化粧品は、背部に複数のリング状の綴込部が取り付けられたバインダーと、前記綴込部に綴り込まれる複数の差込孔を端部に有し、この差込孔列方向に沿って複数設けられそれぞれに化粧料が収容される化粧料収容部を有する身部、及び、これら各化粧料収容部を覆うように設けられ該各化粧料収容部の周囲である該身部との密着状態を着脱可能に確保する密着部を有する蓋部でこれの端部に前記各化粧料収容部毎に該蓋部と該各化粧料収容部の周囲である該身部との密着状態を着脱可能に解除することを可能とするツマミを有するものからなる携帯用化粧容器とを備えた携帯用化粧品であって、前記携帯用化粧容器は、前記蓋部が前記身部に対し折れ曲げ線を介して回転自在に接続されるようにシート状樹脂で該身部及び蓋部を一体成形し、かつ、この蓋部と前記各化粧料収容部の周囲である該身部との密着状態を前記密着部によって確保することによりシート状化粧容器を形成し、このシート状化粧容器における該各化粧料収容部のそれぞれの間において前記差込孔列方向と垂直方向に該各化粧料収容部毎の化粧容器として切り離すことを可能とするミシン目を設けてなるものであることを特徴とする。
【００１７】
この構成によれば、バインダーに所望の化粧料だけを複数組み合わせた携帯用化粧容器を綴り込むことで、手帳感覚で化粧料が検索でき必要とする化粧料を簡単に捜し出せる。また、このバインダーに化粧用具や鏡を綴ったり、メモ用紙を綴ったりすることでバインダーを多目的に使用することもできる。
【００１８】
また、この構成によれば、ミシン目から個々の容器を切り離すことが可能なので、使用済みの化粧容器を切り離して破棄したり、予め切り離しておいた化粧容器を個々の目的に応じて組み合わせ、バインダーに綴ることができる。
【００１９】
更に、この構成において、前記身部は前記化粧料収納部の周囲を凸形の枠で囲う凸形枠を有し、前記蓋部は前記身部の凸形枠の外形に嵌着する凹部を有し、前記身部と蓋部の密着は、前記身部の凸形枠の外周側面を前記蓋部の凹部の内周側面にはめ込むことによって行う構成のものも例示できる。この例示によれば、密着部が嵌着されているから化粧料の散逸や劣化が確実に防止できる。
【００２０】
【発明の実施の形態】
以下、本発明の実施の形態に係るを図に基づいて詳細に説明する。
まず、本発明の実施の形態１に係る携帯用化粧容器を説明する。
【００２１】
［実施の形態１］
本発明の携帯用化粧容器１は、図１に示すように、シート状樹脂で身部２と蓋部３とを一体成形したものである。蓋部３は身部２と折り曲げ部１２を介して回動自在に接続している。
【００２２】
身部２は隣接する化粧料収容部４，４を２箇所設けている。また、身部２は化粧料収納部４，４の周囲をそれぞれ凸形状の枠で囲う凸形枠５を設けている。従って、化粧料収容部４，４は身部２上にあって凹形状をなしている。
【００２３】
化粧料Ａ，Ｂは化粧料収容部４，４の凹形状部に充填される。なお、化粧料Ａと化粧料Ｂは色彩が異なる化粧料である。
凸形枠５は外周側面を外壁５ａによって囲まれている。
【００２４】
更に、身部２は、その端部１１に沿って平行に２個の差込孔６，６を設けている。この差込孔６，６は、後述するホルダ２０に携帯用化粧容器１を保持する際（図６参照）や、バインダ７０に携帯用化粧容器１を綴る際（図７参照）に用いられる。
【００２５】
蓋部３は身部２の凸形枠５の外形に嵌着する凹部７を有している。この凹部７は内周側面を内壁７ａによって囲まれている。また、蓋部３はその端部より一部突き出た形状のツマミ８を設けている。このツマミ８は蓋部３と身部２とを着脱させる際に用いられる。
【００２６】
身部２と蓋部３の嵌着は、ツマミ８を指で操作し、蓋部３側の内壁７ａを身部２側の外壁５ａにはめ込むことによって行われる。
この嵌着により、本発明の携帯用化粧容器１は、化粧料Ａ，Ｂの散逸や劣化が確実に防止できる。また、本発明の携帯用化粧容器１は、ツマミ８を用いて蓋部３側の着脱操作が容易にできる。
【００２７】
本発明の携帯用化粧容器１は、図２に示すホルダ２０に保持される。
ホルダ２０はホルダ本体２１と、このホルダ本体２１に一体成形された上蓋部２２とを備えている。
【００２８】
ホルダー本体２１は、下段部２１ａと上段部２１ｂからなる段付構造を有している。
下段部２１ａは携帯用化粧容器１の差込孔６，６に挿通可能な円柱状のピン２３，２３を下段部２１ａ上に立設している。
【００２９】
上段部２１ｂは化粧用塗布具Ｔを収納する溝部２５を設けている。この上段部２１ｂと上蓋部２２は、折り曲げ部２６を介して回動自在に接続している。また、上段部２１ｂは、図３に示すように、背部にＵ形状の鈎部２７を設けている。
この鈎部２７はストラップＳを挿通するためのものである。
【００３０】
上蓋部２２は、円柱状のピン２３，２３の天面を塞いで嵌合する凹状のピン孔２４，２４を設けている。
ホルダ本体２１と上蓋部２２との嵌合は、図２及び図３に示すように、ピン２３，２３をピン孔２４，２４に挿嵌することによって行う。
【００３１】
次に、ホルダ２０で携帯用化粧容器１を保持する場合を説明する。
まず、図４に示すように、ホルダ２０のピン２３，２３に携帯用化粧容器１の差込孔６，６を挿入する。次に、図５に示すように、ピン２３，２３をピン孔２４，２４に挿嵌し、ホルダ本体２１と上蓋部２２とを嵌合する。
【００３２】
図６は本発明の携帯用化粧容器１をホルダ２０で保持した状態を示す。図ではホルダ２０の鈎部２７にストラップＳが挿通されている。そして、本発明の携帯用化粧容器１は、ストラップＳに懸吊されたホルダ２０に保持されることで、キーホルダー感覚で携帯できる。
【００３３】
なお、この実施の形態１の身部２は化粧料収容部４，４を２箇所設けた場合を説明したが、本発明は２個に限定されるものではなく、その周囲を凸形枠で囲われたものであれば、化粧料収容部は１個であっても３個であってもよい。また、この実施の形態１では凸形枠内の化粧料収容部に異なる化粧料を充填したが、同じ化粧料を充填してもよい。
【００３４】
次に、本発明の実施の形態２に係るバインダに綴り込んだ携帯用化粧容器を図７〜図９に基づき説明する。
［実施の形態２］
本発明のバインダに綴り込んだ携帯用化粧容器３０は、図７に示すように、バインダ７０とバインダ７０に綴り込まれる身部４０とこの身部４０と一体成形された蓋部５０とで構成される。
【００３５】
バインダ７０は、その背部７１にリング状の綴込具７２を等間隔に６個取り付けている。綴込具７２は所定の操作によってリングが開閉可能になっている。
身部４０は、図８に示すように、リング状の綴込具７２を通すための差込孔４０ａ〜４０ｆをその端部に沿って平行に６個設けている。
【００３６】
蓋部５０は折り線５０ａを介して身部４０と回動自在に接続している。
そして、身部４０及び蓋部５０は、等間隔に５本のミシン目９を設けている。ミシン目９はちぎることができ、身部４０及び蓋部５０は、切り離すことによって６等分可能になっている。
【００３７】
このように本発明の身部４０及び蓋部５０は、６個の化粧容器をミシン目９で連結して１シートとなるようにシート状樹脂を真空成形で一体成形したものである。
【００３８】
６個の化粧容器はそれぞれ身部４１〜４６と蓋部５１〜５６が対で一体成形されている。
そこで、化粧容器の形状はミシン目９に沿って切り放すと、同一形状となるので身部４１と蓋部５１が対をなした携帯用化粧容器のみを説明し、その他の化粧容器の形状の説明を省略する。
【００３９】
すなわち、身部４１は、その中間部に凹形状の化粧料収容部４１ａを有している。凹形状の化粧料収容部４１ａには、化粧料Ａが充填される。
蓋部５１は折り曲げ線５０ａを介して身部４１と回動自在に接続している。また、蓋部５１の裏面にはノリが貼付されており、このノリによって蓋部５１と身部４１は密着している。このノリは剥がす／密着させる（即ち、着脱）を繰り返し行えるものを用いる。
【００４０】
１シート内の６個の化粧容器はそれぞれ異なる化粧料を有している。すなわち、図９に示すように、身部４２の化粧料収容部４２ａには化粧料Ｂが充填され、身部４３の化粧料収容部４３ａには化粧料Ｃが充填され、身部４４の化粧料収容部４４ａには化粧料Ｄが充填され、身部４５の化粧料収容部４５ａには化粧料Ｅが充填され、身部４６の化粧料収容部４６ａには化粧料Ｆが充填される。
【００４１】
この実施の形態２の構成によれば、バインダ７０に所望の化粧料を有する携帯用化粧容器だけを複数組み合わせて綴り込むことができる。従って、綴られた携帯用化粧容器を手帳感覚で検索でき必要とする化粧料が簡単に捜し出せる。また、このバインダ７０に化粧用具や鏡を綴ったり、メモ用紙を綴ったりすることでバインダ７０を多目的に使用することもできる。
【００４２】
また、綴られた携帯用化粧容器を、ミシン目９から個々の化粧容器を切り離すことが可能なので、使用済みの化粧容器を切り離して破棄したり（図９参照）、予め切り離しておいた化粧容器を個々の目的に応じて組み合わせ、バインダ７０に綴ることができる。
【００４３】
なお、化粧料Ａ〜Ｆは異なる色彩（あるいは成分）の化粧料として説明するが、同じ化粧料であってもよい。
次に、本発明の実施の形態３に係るバインダに綴り込んだ携帯用化粧容器を図１０に基づき説明する。
【００４４】
［実施の形態３］
この実施の形態３のバインダに綴り込んだ携帯用化粧容器１００は、図１０に示すように、上述の実施の形態１の携帯用化粧容器１を３個並べてミシン目９で連結し１シートとなるようにシート樹脂で一体成形したものである。従って、蓋部３ａ〜３ｃは身部２ａ〜２ｃと折り曲げ部１２ａ〜１２ｃを介して回動自在に接続している。
【００４５】
この実施の形態３で用いるバインダ７０は、実施の形態２と同じように、その背部７１にリング状の綴込具７２を等間隔に６個取り付けている。綴込具７２は所定の操作によってリングが開閉可能になっている。
【００４６】
身部２ａ〜２ｃは、その端部１１ａ〜１１ｃに沿って平行に２個ずつ６個の差込孔６を設けている。この差込孔６は、図７で示すバインダ７０のリング状の綴込具７２を通すために用いられる。
【００４７】
身部２ａ〜２ｃの化粧料収容部４にはそれぞれ成分あるいは色彩の異なる化粧料が充填されている。
そして、携帯用化粧容器１ａ〜１ｃの形状はミシン目９に沿って切り放すと、それぞれが実施の形態１で説明した携帯用化粧容器１になるので、携帯用化粧容器１ａ〜１ｃの形状の説明は省略する。
【００４８】
この実施の形態３の構成によれば、バインダ７０に所望の化粧料が収納された携帯用化粧容器だけを複数組み合わせて綴り込むことができる。従って、綴られた携帯用化粧容器１ａ〜１ｃを手帳感覚で検索でき必要とする化粧料が簡単に捜し出せる。また、ミシン目９に沿って切り放すと、ホルダ２０に保持して携帯することも可能である。
【００４９】
【発明の効果】
以上、この発明によれば、所望の化粧料を使用する場合、他の化粧料収納部の密着状態は解除せずに所望の化粧料収納部の密着状態のみを解除できるので、他の化粧料の散逸や劣化を防止できる。
【００５０】
また、この発明によれば、特定の化粧料だけをホルダーに保持して携帯できる。また、化粧料容器と化粧用塗布具をホルダーに保持できるように構成した場合、化粧料を使用する場合に便利である。更に、懸吊用鈎部にストラップを通すように構成した場合、キーホルダー感覚で化粧容器を携帯することができる。
【００５１】
更に、この発明によれば、バインダーに所望の化粧料だけを複数組み合わせた携帯用化粧容器を綴り込むことで、手帳感覚で化粧料が検索でき必要とする化粧料を簡単に捜し出せる。また、このバインダーに化粧用具や鏡を綴ったり、メモ用紙を綴ったりすることでバインダーを多目的に使用することもできる。また、ミシン目から個々の容器を切り離すことが可能なので、使用済みの化粧容器を切り離して破棄したり、予め切り離しておいた化粧容器を個々の目的に応じて組み合わせ、バインダーに綴ることができる。
【図面の簡単な説明】
【図１】  本発明の実施の形態１に係る携帯用化粧容器の斜視図である。
【図２】  本発明のホルダの斜視図であり、ホルダを開いた場合を示す。
【図３】  本発明のホルダの斜視図であり、ホルダを閉じた場合を示す。
【図４】  本発明の携帯用化粧容器をホルダで保持する場合の斜視図である。
【図５】  本発明の携帯用化粧容器をホルダで保持する場合の横断面図である。
【図６】  本発明の携帯用化粧容器をホルダに保持し、ホルダにストラップを取り付けた場合の斜視図である。
【図７】  本発明の実施の形態２に係る携帯用化粧品の正面図である。
【図８】  実施の形態２における携帯用化粧容器の正面図である。
【図９】  実施の形態２における携帯用化粧容器の正面図であり、携帯用化粧容器をミシン目に沿って切り離した場合を示す。
【図１０】  本発明の実施の形態３における携帯用化粧容器の正面図である。
【図１】
0003804900.tif 000002
【図２】
0003804900.tif 000003
【図３】
0003804900.tif 000004
【図４】
0003804900.tif 000005
【図５】
0003804900.tif 000006
【図６】
0003804900.tif 000007
【図７】
0003804900.tif 000008
【図８】
0003804900.tif 000009
【図９】
0003804900.tif 000010
【図１０】
0003804900.tif 000011